(57)【要約】 【課題】  操作ボタンに遠隔操作のための機能を自由に設定することのできるリモコン機器から出力される信号に応じた機能を実行することができる情報処理装置を提供することを目的とする。【解決手段】  ビデオ装置１００では、携帯電話２００を特定するリモコン番号ごとに、操作ボタンなどを示す操作情報とビデオ装置１００における機能を示す機能情報とを、対応付けて記憶部１０４において記憶する。携帯電話２００からリモコン番号および操作情報を、受信部１０２を介して信号処理部１０３が受信すると、信号処理部１０３は、受信されたリモコン番号および操作情報に基づいて、記憶部１０４から機能情報を抽出する。そして、信号処理部１０３は実行部１０６に抽出した機能情報を出力して、実行部１０６は当該機能情報に基づいた動作を実行する。【選択図】  図１
2006261987.tif 000002
【特許請求の範囲】
【請求項１】
ユーザが使用する一のリモコン機器から出力される操作ボタンを示す操作情報に対応した機能を実行する情報処理装置において、
リモコン機器を特定する識別情報ごとに、前記操作情報と前記情報処理装置において実行される機能を示す機能情報とを対応付けて記憶する記憶手段と、
前記一のリモコン機器から識別情報および操作情報を受信する受信手段と、
前記受信手段により受信された識別情報および操作情報に基づいて、前記記憶手段から機能情報を抽出する情報処理手段と、
前記情報処理手段により抽出された機能情報に基づいた動作を実行する実行手段と、
を備える情報処理装置。
【請求項２】
前記受信手段により、リモコン機器を特定する識別情報、およびリモコン機器の操作を示す操作情報と前記情報処理装置の動作を示す機能情報とを対応付けたレイアウト情報を、前記一のリモコン機器から受信した場合、前記識別情報ごとに前記レイアウト情報を前記記憶手段に記憶させる設定手段を備えることを特徴とする請求項１に記載の情報処理装置。
【請求項３】
前記一のリモコン機器からレイアウト情報の要求を受けた場合、前記レイアウト情報を、前記一のリモコン機器に送信する送信手段をさらに備えることを特徴とする請求項１または２に記載の情報処理装置。
【請求項４】
情報処理装置に対して遠隔操作を行う移動機において、
操作ボタンを示す操作情報と前記情報処理装置において実行される機能を示す機能情報とを、前記移動機を特定する識別情報と対応付けて前記情報処理装置に登録する登録手段と、
前記登録手段により操作情報および機能情報が登録された前記情報処理装置に対して遠隔操作を行う際には、前記識別情報および前記操作情報を出力する出力手段と、
を備える移動機。
【発明の詳細な説明】
【技術分野】
【０００１】
本発明は、リモコン機器からの指示に応じた機能を実行する情報処理装置および移動機に関する。
【背景技術】
【０００２】
近年、テレビなどに対する遠隔操作を行うリモコン機能を搭載している携帯電話が知られている。例えば、携帯電話をリモコン化して利用する特許文献として、特許文献１に記載の携帯電話が知られている。特許文献１は、リモートコントロールシステムに関し、テレビなどの電子機器において生成されたリモコン化データを携帯電話が記憶し、この携帯電話はリモコン化データに基づいたリモコン信号を生成して電子機器に出力することによって、電子機器に対してリモコン制御を行うことが記載されている。
【特許文献１】特開２００３−１４３６７０号公報
【発明の開示】
【発明が解決しようとする課題】
【０００３】
しかしながら、特許文献１に記載のリモートコントロールシステムにおける携帯電話は、携帯電話の操作ボタンに対応した遠隔操作に関する機能をユーザが自由に設定することができず、以下の不都合を有する。
【０００４】
すなわち、携帯電話の操作ボタンに設定されている機能が、メーカによって異なっており、ユーザはメーカによって操作を変える必要があった。例えば、あるメーカでは音量操作のためのボタンは右側のボタンに設定されているが、別のメーカでは左側のボタンに設定される場合があり、ユーザの誤操作が発生しやすい。
【０００５】
また、携帯電話の操作が不得意なユーザが携帯電話で遠隔操作するための機能を設定しようとする場合、このユーザは、自分の携帯電話に配置されている全ての操作ボタンに機能が設定されることになるが、結果として全ての機能を使うことができず、無駄に携帯電話のメモリと表示スペースとを使用することになる。また、リモコン機器の制御対象である電子機器によっては、よく使う機能、あまり使わない機能などが表れる場合があり、全ての機能を携帯電話に設定することを望まないユーザがいる。
【０００６】
そこで、本発明は、操作ボタンに遠隔操作のための機能を自由に設定することのできるリモコン機器からの指示に応じた機能を実行することができる情報処理装置および移動機を提供することを目的とする。
【課題を解決するための手段】
【０００７】
上述の課題を解決するため、本発明の情報処理装置は、ユーザが使用する一のリモコン機器から出力される操作ボタンを示す操作情報に対応した機能を実行する情報処理装置において、リモコン機器を特定する識別情報ごとに、上記操作情報と上記情報処理装置において実行される機能を示す機能情報とを対応付けて記憶する記憶手段と、上記一のリモコン機器から識別情報および操作情報を受信する受信手段と、上記受信手段により受信された識別情報および操作情報に基づいて、上記記憶手段から機能情報を抽出する情報処理手段と、上記情報処理手段により抽出された機能情報に基づいた動作を実行する実行手段と、を備えている。
【０００８】
この発明によれば、情報処理装置において、一のリモコン機器から出力される操作情報および識別情報に基づいて動作すべき機能情報を抽出し、当該機能情報に基づいた動作を実行することができる。これにより、個人ごとに保有され、個人ごとに操作ボタンに対応した機能が自由に設定された一のリモコン機器から、操作を示す操作情報および識別情報を情報処理装置が受信することで、各リモコン機器に対応した動作を情報処理装置は実行することができる。すなわち、例えば、家族において個人個人が自分専用のリモコン機器（例えば、リモコン機能付き携帯電話）をもっており、そのリモコン機器ごとに、各操作ボタン（テンキーなど）に再生、停止などの機能が設定可能とされている場合がある。この場合、リモコン機器を特定する識別情報ごとに、操作情報と実行される機能を示す機能情報とを、ビデオ装置などの情報処理装置において対応付けて記憶しておき、一のリモコン機器からの操作情報に基づいて、記憶されている情報から動作すべき機能情報を抽出して実行することで、個人ごとに機能設定を変えたリモコン機器に対応した情報処理装置を実現することができる。
【０００９】
また、本発明の情報処理装置は、上記受信手段により、リモコン機器を特定する識別情報、およびリモコン機器の操作を示す操作情報と上記情報処理装置の動作を示す機能情報とを対応付けたレイアウト情報を、上記一のリモコン機器から受信した場合、上記識別情報ごとに上記レイアウト情報を上記記憶手段に記憶させる設定手段を備えていることが好ましい。
【００１０】
この発明によれば、一のリモコン機器から、リモコン機器を特定する識別情報、およびリモコン機器の操作を示す操作情報と情報処理装置の動作を示す機能情報とを対応付けたレイアウト情報を受信して、当該識別情報ごとに、操作情報および機能情報を記憶させることができる。これにより、一のリモコン機器のそれぞれにおいて設定された操作情報と機能情報とを対応付けたレイアウト情報を情報処理装置側に記憶させることができ、情報処理装置は様々なリモコン機器に対応させることができる。
【００１１】
また、本発明の情報処理装置は、上記一のリモコン機器からレイアウト情報の要求を受けた場合、上記レイアウト情報を、上記一のリモコン機器に送信する送信手段をさらに備えている。
【００１２】
この発明によれば、一のリモコン機器からの要求に応じて、一のリモコン機器にレイアウト情報を送信することができ、一のリモコン機器側でレイアウト情報を確認させることができる。
【００１３】
また、本発明の移動機は、情報処理装置に対して遠隔操作を行う移動機において、操作ボタンを示す操作情報と上記情報処理装置において実行される機能を示す機能情報とを、上記移動機を特定する識別情報と対応付けて上記情報処理装置に登録する登録手段と、上記登録手段により操作情報および機能情報が登録された上記情報処理装置に対して遠隔操作を行う際には、上記識別情報および上記操作情報を出力する出力手段と、を備えている。
【００１４】
この発明によれば、操作ボタンを示す操作情報と情報処理装置において実行される機能を示す機能情報とを、移動機を特定する識別情報と対応付けて情報処理装置に登録し、当該移動機が情報処理装置に対して遠隔操作を行う際に、識別情報および操作情報を出力することで、情報処理装置では、識別情報および操作情報に基づいて機能情報を読み出して当該機能情報に基づいた機能を実行することができ、移動機を用いた情報処理装置の遠隔操作を実現することができる。
【発明の効果】
【００１５】
本発明の情報処理装置は、一のリモコン機器から出力される操作情報およびリモコン機器を特定する識別情報に基づいて動作すべき機能情報を抽出し、当該機能情報に基づいた動作を実行することができる。これにより、個人ごとに保有され、個人ごとに操作ボタンに対応した機能が自由に設定された一のリモコン機器から、操作を示す操作情報およびリモコン機器を特定する識別情報を情報処理装置が受信することで、各リモコン機器に対応した動作を情報処理装置は実行することができる。
【００１６】
また、本発明の移動機は、情報処理装置に対して遠隔操作を行う際に、識別情報および操作情報を出力することで、情報処理装置では、識別情報および操作情報に基づいて機能情報を読み出して当該機能情報に基づいた機能を実行することができ、移動機を用いた情報処理装置の遠隔操作を実現することができる。
【発明を実施するための最良の形態】
【００１７】
本発明は、一実施形態のために示された添付図面を参照して以下の詳細な記述を考慮することによって容易に理解することができる。引き続いて、添付図面を参照しながら本発明の実施形態を説明する。可能な場合には、同一の部分には同一の符号を付して、重複する説明を省略する。
【００１８】
まず、本実施形態の情報処理装置としてビデオ装置を例にとって説明する。なお、本発明の情報処理装置は、ビデオ装置に限るものではなく、テレビ、カセットデッキ、ＤＶＤプレイヤ、ハードディスクレコーダ、ラジオ、カーナビゲーションシステム、自動車・家・マンションにおけるエントリーシステム、照明器具、エアコン、または扇風機など、様々な機器に適用することができる。
【００１９】
図１は、本実施形態のビデオ装置１００のブロック構成図である。本実施形態のビデオ装置１００は、通信インターフェース部１０１、受信部１０２（受信手段）、信号処理部１０３（情報処理手段、設定手段）、記憶部１０４（記憶手段）、送信部１０５（送信手段）、実行部１０６（実行手段）、デッキ部１０７、および表示部１０８を含んで構成されている。このビデオ装置１００は、リモコン機能付きの携帯電話２００から、例えば赤外線によるリモート信号を受信し、受信したリモート信号に応じて、挿入されているビデオテープの再生、または停止などの動作を行う。以下、各構成について詳細に説明する。
【００２０】
通信インターフェース部１０１は、リモコン機能付きの携帯電話２００から赤外線によるリモート信号を受信し、または携帯電話２００に対して登録されている情報などを出力する部分である。本実施形態では、通信方式として赤外線の送受信インターフェースとして機能しているが、通信方式としてブルートゥースや通常の携帯電話における無線通信を採用してもよい。
【００２１】
受信部１０２は、通信インターフェース部１０１を介して受信した携帯電話２００からの動作指示、ＩＤ情報、またはコード情報などの各種情報を含んだリモート信号を受信する部分である。受信部１０２が受信したリモート信号は信号処理部１０３に出力される。
【００２２】
信号処理部１０３は、受信部１０２により受信されたリモート信号に基づいた処理を行う部分である。具体的には、信号処理部１０３は、携帯電話２００から受信部１０２を介して機器ＩＤを受信した場合、当該機器ＩＤがビデオ装置１００を示す機器ＩＤであるか否かを判断するため、ビデオ装置１００が予め記憶している機器ＩＤと携帯電話２００から送信された機器ＩＤとを比較する。信号処理部１０３は、機器ＩＤが一致していると判断した場合、送信部１０５による確認要求を携帯電話２００に行う。また、信号処理部１０３は、機器ＩＤが不一致であると判断した場合、エラーの旨を示す信号を、携帯電話２００に送信部１０５を介して出力する。
【００２３】
また、信号処理部１０３は、携帯電話２００から固有番号、ＰＩＮコード、およびリモコン種別などを、受信部１０２を介して受信すると、リモコン番号を生成して、携帯電話２００にリモコン番号を割り当て、記憶部１０４に記憶させる。その後、信号処理部１０３は、リモコン種別に応じた機能登録ガイド（音声または文字によるメッセージ）を、記憶部１０４から読み出し、送信部１０５を介して携帯電話２００に出力する。さらに、信号処理部１０３は、機能登録ガイドに従って機能設定がされた携帯電話２００から出力された、機能情報と操作ボタンを示す操作情報とを対応付けたレイアウト情報を、上述割り付けられたリモコン番号とともに、受信部１０２を介して受信する。そして、信号処理部１０３は、記憶部１０４に、当該リモコン番号に、機能情報と操作ボタンを示す操作情報とを対応付けて記憶させる。
【００２４】
また、信号処理部１０３は、リモコン番号と操作ボタンを示す操作情報とを、携帯電話２００から受信部１０２を介して受信すると、記憶部１０４から、リモコン番号および操作情報に対応した機能情報を読み出し、実行部１０６に出力する。また、信号処理部１０３は、リモコン番号とレイアウト情報の要求とを、携帯電話２００から受信部１０２を介して受信すると、記憶部１０４から、リモコン番号に対応した操作情報および機能情報を読み出し、送信部１０５を介して、携帯電話２００に出力する。
【００２５】
記憶部１０４は、リモコン番号ごとに、操作情報と機能情報とを対応付け記憶する部分である。リモコン番号は、信号処理部１０３により生成されて、記憶部１０４に記憶される。また、操作情報および機能情報は携帯電話２００から受信部１０２および信号処理部１０３を介して、記憶部１０４に記憶される。また、記憶部１０４は、リモコン種別ごとに機能登録ガイドを記憶する。機能登録ガイドとは、携帯電話２００で操作ボタンごとの機能の設定を行わせるためのガイダンスメッセージであって、携帯電話２００にて、文字や音声で出力されるメッセージである。記憶部１０４ではリモコン種別ごとに機能登録ガイドを記憶しているため、音声メッセージを出力するか、文字によるメッセージを出力するかが、リモコン種別によって、信号処理部１０３により判断され、対応した機能登録ガイドが出力される。なお、本実施形態ではリモコン番号ごとにレイアウト情報を記憶しているが、リモコン番号に限定するものではなく、携帯電話２００に設定されている固有番号に対応付けてレイアウト情報を記憶するようにしてもよい。固有番号を利用することで、ビデオ装置１００側でリモコン番号の設定処理や、その通知処理を省略することができる。
【００２６】
ここで記憶部１０４に記憶されているリモコン番号ごとに記憶されている操作情報および機能情報の具体例を、図２を用いて説明する。図２は、記憶部１０４に記憶されている、リモコン番号、操作情報および機能情報の対応付けを示す概念図である。図２に示すように、リモコン番号として、例えば“００１”が記憶部１０４に記憶されており、このリモコン番号“００１”に、操作情報と機能情報とが対応付けて記憶されている。図２では、操作情報として“１”に対応して機能情報“ＰＬＡＹ”が、記憶部１０４に記憶されており、携帯電話２００で“１”が押下され、操作情報として“１”がビデオ装置において受信された場合、ビデオ装置１００では、ＰＬＡＹ処理、すなわち再生処理がされるように対応付けられている。なお、操作情報とは、携帯電話２００におけるボタンの位置情報を示すものであって、例えば携帯電話２００に配置される数字キー以外のキーである、電源オンオフボタンや発信ボタンなどにも対応することができる。
【００２７】
送信部１０５は、信号処理部１０３による処理に応じた信号の送信処理を行う部分であり、信号処理部１０３において機器ＩＤの正常な照合を行った場合、確認要求を携帯電話２００に送信する。また、送信部１０５は、信号処理部１０３による処理に応じて機能登録ガイドを携帯電話２００に送信する。さらに、送信部１０５は、信号処理部１０３による処理に応じて、携帯電話２００からのレイアウト情報の要求があった場合、当該レイアウト情報を携帯電話２００に送信する。
【００２８】
実行部１０６は、信号処理部１０３から出力された機能情報に基づいた動作を実行する部分である。例えば、実行部１０６は、「再生」の旨を示す機能情報を信号処理部１０３から受信すると、デッキ部１０７に対して再生動作を行うよう指示を出力する。また、実行部１０６は、この機能情報に基づいた指示をデッキ部１０７に出力することに伴い、表示部１０８が機能情報に基づいた表示を行うことができるように、例えば、再生中である旨を示す情報を表示部１０８に出力する。
【００２９】
デッキ部１０７は、ビデオテープを再生、停止、並びに早送り、巻き戻しなどの機能を実行することのできるメカニカルな機構から構成される部分である。デッキ部１０７は、実行部１０６から出力される指示に基づいた動作（再生、停止など）を行うことができる。
【００３０】
表示部１０８は、実行部１０６から機能情報に基づいた情報を受信し、この情報を表示する。例えば、表示部１０８は、再生中である旨を示す情報を表示する。また、表示部１０８は、ビデオ装置１００として扱っている情報を表示することができる。
【００３１】
次に、移動機の一つである携帯電話２００の構成について説明する。図３は、携帯電話２００のブロック構成図である。携帯電話２００は、通信インターフェース部２０１（出力手段）、制御部２０２（登録手段）、表示部２０３、操作パネル２０４、記憶部２０５、および無線通信部２０６を含んで構成されている。以下、各構成について説明する。
【００３２】
通信インターフェース部２０１は、ビデオ装置１００に対して遠隔操作を行うためのリモート信号を、赤外線を用いて出力し、またはビデオ装置１００から設定情報などの各種情報を、赤外線を用いて受信する部分である。なお、赤外線によるリモート信号の送受信に代えて、ブルートゥースを用いてもよい。また、通信インターフェース部２０１の代わりに無線通信部２０６を用いて、無線通信網を利用してリモート信号を送受信するようにしてもよい。
【００３３】
制御部２０２は、携帯電話２００を制御する部分であって、携帯電話としての通話機能、データ通信機能を実行可能に無線通信部２０６を制御するとともに、ビデオ装置１００に対して遠隔操作を行うためのリモコン機能を実行可能に通信インターフェース部２０１を制御する部分である。具体的には、制御部２０２は、ユーザにより操作パネル２０４から機器設定ボタンが押下された場合、「機器ＩＤを入力してください。」のメッセージが表示部２０３により表示されるよう、操作パネル２０４および表示部２０３を制御する。また、制御部２０２は、ユーザの操作により操作パネル２０４から入力された機器ＩＤを出力するよう通信インターフェース部２０１を制御する。
【００３４】
また、制御部２０２は、機器ＩＤ出力後に、ビデオ装置１００から確認要求を受信すると、携帯電話２００の固有番号、ＰＩＮコード、リモコン種別を記憶部２０５から読み出す。そして、制御部２０２は、通信インターフェース部２０１を介してビデオ装置１００に出力するように通信インターフェース部２０１を制御する。また、制御部２０２は、ビデオ装置１００から受信したリモコン番号を、通信インターフェース部２０１を介して受信して、記憶部２０５に記憶させるよう、通信インターフェース部２０１および記憶部２０５を制御する。
【００３５】
また、制御部２０２は、ビデオ装置１００から機能設定のための機能登録ガイドが出力されると、機能設定のための文字によるメッセージを表示部２０３に表示させ、または、音声によるメッセージをスピーカ部（図示せず）から出力させ、ユーザに機能設定を行わせる。さらに、制御部２０２は、設定された機能情報および操作情報を、通信インターフェース部２０１を介してビデオ装置１００に出力するよう通信インターフェース部２０１を制御する。
【００３６】
また、制御部２０２は、ユーザが操作パネル２０４を操作することにより入力された操作ボタンが押下されたことを示す操作情報を、記憶部２０５に記憶されているリモコン番号とともに、通信インターフェース部２０１を介して出力するよう、記憶部２０５および通信インターフェース部２０１を制御する。また、制御部２０２は、ユーザが操作パネル２０４を操作して、レイアウト情報の要求をビデオ装置１００に対して行うように操作した場合、リモコン番号を記憶部２０５から読み出す。そして、制御部２０２は、リモコン番号およびレイアウト情報の要求を示す情報を、通信インターフェース部２０１を介してビデオ装置１００に対して出力するよう、通信インターフェース部２０１を制御する。
【００３７】
表示部２０３は、機能設定のためのメッセージなどの各種メッセージを表示し、またビデオ装置１００から出力されたレイアウト情報を表示する部分である。また、表示部２０３は、携帯電話２００を使用する上で必要な情報の表示、例えば電話番号を表示し、またはメールの文章などを表示する部分である。さらに、表示部２０３は、操作パネル２０４の操作ボタン（例えば1〜９のボタン）の各位置に対応付けて、操作ボタンの機能（再生、早送り、巻き戻しなど）を視覚的に表示することができる。表示部２０３が操作ボタンの機能を表示する場合には、例えば子供用に、ひらがな表記にしたり、色を付したりして、表示される画面を装飾することができる。この装飾された情報は、ユーザ操作をもって制御部２０２により設定され、記憶部２０５に記憶される。また、高齢者用には、装飾が簡素にされ、また、文字、記号などが大きく表示されるよう設定されても良い。さらに、表示部２０３が機能の視覚的表示を行う代わりに、スピーカ（図示せず）から操作ボタンに応じた機能を示す音声ガイダンスが出力されるようにしても良い。
【００３８】
操作パネル２０４は、数字キー、電源オンオフキー、＊キー、＃キー、その他選択十字キーなど携帯電話２００に通常備えられているキーを含んで構成されている。また、操作パネル２０４は、ビデオ装置１００に対するリモコン機能を設定するための機器設定ボタンを含んでいる。なお、機器設定ボタンは、上述数字キー、電源オンオフキー、＃キー、または＊キーをもって代用することもできる。
【００３９】
記憶部２０５は、ビデオ装置１００から出力されたリモコン番号を記憶する部分であり、また固有番号、ＰＩＮコード、リモコン種別を示す情報を記憶する部分である。また、記憶部２０５は、携帯電話２００として必要な情報を記憶する部分であり、例えば、電話帳、メールアドレスなどを記憶する部分である。
【００４０】
無線通信部２０６は、無線通信網を経由して無線による通信を行う部分であり、無線通信を行うことができるよう制御部２０２により制御される。
【００４１】
このように構成されたビデオ装置１００および携帯電話２００の動作について説明する。図４は、ビデオ装置１００に携帯電話２００の操作情報を設定するときの動作を示すフローチャートである。
【００４２】
携帯電話２００では、ユーザにより操作パネル２０４の機器設定ボタンが押下されたこと（Ｓ１０１）が検出されると、「機器ＩＤを入力してください」のメッセージが表示部２０３により表示される（Ｓ１０２）。ユーザが操作パネル２０４を操作することにより、対象機器の機器ＩＤが入力され、入力された機器ＩＤが送信される（Ｓ１０３）。なお、ここでは、ビデオ装置１００に対してリモコン機能を設定することができるように、ビデオ装置１００を示す機器ＩＤがユーザにより操作パネル２０４により入力される。
【００４３】
ビデオ装置１００では、携帯電話２００から機器ＩＤが受信され、受信された機器ＩＤと記憶部１０４に記憶されている機器ＩＤとが照合される（Ｓ２０１）。ビデオ装置１００において、信号処理部１０３により照合された結果、機器ＩＤが一致していると判断されると、携帯電話２００に対して固有番号などの情報の確認要求がなされる（Ｓ２０１）。なお、信号処理部１０３において、機器ＩＤが不一致であると判断されると、エラーの旨が携帯電話２００に通知され、携帯電話２００において「機器ＩＤが違います」とのメッセージが表示される。
【００４４】
携帯電話２００では、固有番号、ＰＩＮコード、およびリモコン種別が記憶部２０５から読み出され、通信インターフェース部２０１を介して出力される（Ｓ１０４）。
【００４５】
ビデオ装置１００では、携帯電話２００から出力された固有番号、ＰＩＮコード、リモコン種別が受信されると、リモコン番号が生成され、受信された固有番号、ＰＩＮコード、リモコン種別とが対応付けて、信号処理部１０３の処理により記憶部１０４に記憶される。そして、信号処理部１０３により生成されたリモコン番号は、通信インターフェース部１０１を介して携帯電話２００に出力される（Ｓ２０２）。
【００４６】
携帯電話２００では、ビデオ装置１００から出力されたリモコン番号が記憶部１０４に記憶される（Ｓ１０５）。
【００４７】
ビデオ装置１００では、リモコン番号が送信された後、リモコン種別に応じた機能登録ガイドが出力される（Ｓ２０３）。本実施形態においては、文字または音声によるメッセージが出力され、携帯電話２００のユーザによりこのメッセージに応じて機能と操作情報とを対応付ける操作が携帯電話２００において行われることにより、機能登録が実行される。
【００４８】
携帯電話２００では、ユーザがビデオ装置１００から出力された機能登録ガイドを見ながら、または聴きながら、対話形式で、リモコンの機能（再生、停止など）と操作パネルの操作ボタンとを対応付ける作業が行われる（Ｓ１０６）。なお、機能設定する数に応じて、Ｓ２０３とＳ１０６とが繰り返し、実行され、例えば一つの登録作業終了して、次の設定作業を行いたい場合、継続要求信号（図示せず）が携帯電話２００からビデオ装置１００に出力され、ビデオ装置１００では継続要求信号に応じて次の機能登録ガイドが携帯電話２００に出力される。
【００４９】
そして、携帯電話２００では、ユーザにより、機能情報と操作情報とを対応付ける処理の終了操作がなされると、機能情報および操作情報とを対応付けたレイアウト情報が割り付けられたリモコン番号とともにビデオ装置１００に出力される（Ｓ１０７）。
【００５０】
ビデオ装置１００では、リモコン番号、機能情報および操作情報が受信され、記憶部１０４に記憶される（Ｓ２０４）。すなわち、ビデオ装置１００では、リモコン番号の割り当てがＳ２０２において行われており、当該割り当てにしたがったリモコン番号に対応付けて、受信された機能情報および操作情報からなるレイアウト情報は記憶部１０４に記憶される。
【００５１】
このような処理により、ビデオ装置１００において機能情報と操作情報とが対応付けてレイアウト情報として記憶部１０４に記憶させることができる。これにより、携帯電話２００から出力される操作情報をビデオ装置１００において受信した場合、信号処理部１０３は対応する機能情報を記憶部１０４から抽出し、当該機能を実行することができる。なお、図４においては、ビデオ装置１００および携帯電話２００における初期設定の動作を記載したが、既に設定されている機能情報および操作情報の一部のみを変更し、また追加し、または削除することができる。具体的には、携帯電話２００がリモコン番号と変更されたレイアウト情報とを送信することで、ビデオ装置１００では送信されたリモコン番号に対応したレイアウト情報を、リモコン番号に対応付けて記憶しなおすことで、レイアウト情報の変更を行うことができる。
【００５２】
次に、上述のごとく機能情報と操作情報とが設定されたビデオ装置１００において、携帯電話２００から操作情報を受信したときの動作について説明する。図５は、ビデオ装置１００において、携帯電話２００から遠隔操作が行われるときの動作を示すフローチャートである。
【００５３】
携帯電話２００において、ユーザの操作により操作ボタンが押下された場合、操作情報およびリモコン番号が出力され、ビデオ装置１００において、携帯電話２００から出力されたリモコン番号および操作情報が受信される（Ｓ３０１）。ビデオ装置１００において、信号処理部１０３の処理により、リモコン番号および操作情報に対応した機能情報が記憶部１０４から読み出される（Ｓ３０２）。例えば、図２を参照しながら説明すると、リモコン番号として“００１”が受信され、操作情報として“１”が受信されると、対応する機能情報としてＰＬＡＹが読み出される。
【００５４】
読み出された機能情報に基づいて実行部１０６により、携帯電話２００から指示された機能が実行される（Ｓ３０３）。例えば、ＰＬＡＹが読み出されると、実行部１０６により、再生処理が実行されるよう、デッキ部１０７の再生ヘッドが起動され、既に挿入されているテープの磁気情報が読み取られる。また、ＦＦＷが読み出されると、実行部１０６によりデッキ部１０７に配置されているモータに駆動力が与えられ、早送り動作がなされる。
【００５５】
以上のように、携帯電話２００の操作情報を受信することで、ビデオ装置１００に記憶されている操作情報に対応した機能情報を読み出し、機能情報に対応した動作を実行することができる。よって、携帯電話２００側で、ビデオ装置１００に合わせたリモート信号を生成することなく、操作された操作情報（例えば、操作ボタンの位置情報）のみを出力するだけで、ビデオ装置１００側ではユーザの意思に沿った動作を行うことができる。
【００５６】
次に、ビデオ装置１００で記憶されている操作情報および機能情報の対応関係を示すレイアウト情報が携帯電話２００側に取り寄せられ、どのような設定がされているか、ユーザによって確認することができるときの動作について説明する。図６は、ビデオ装置１００において、携帯電話２００からレイアウト情報の読み出し処理がなされたときの動作を示すフローチャートである。
【００５７】
携帯電話２００におけるユーザの操作により、リモコン番号およびレイアウト情報の要求が携帯電話２００においてなされ、携帯電話２００から出力されるリモコン番号およびレイアウト情報の要求は、ビデオ装置１００において通信インターフェース部１０１を介して受信される（Ｓ４０１）。
【００５８】
ビデオ装置１００では、レイアウト情報の要求が受信されたと、信号処理部１０３により判断された場合、リモコン番号に対応付けて記憶されている操作情報および機能情報からなるレイアウト情報が、信号処理部１０３により記憶部１０４から読み出され、抽出される（Ｓ４０２）。
【００５９】
ビデオ装置１００では、抽出された操作情報および機能情報からなるレイアウト情報が、信号処理部１０３により送信部１０５に出力され、送信部１０５により携帯電話２００に出力される（Ｓ４０３）。
【００６０】
携帯電話２００では、出力されたレイアウト情報が表示部２０３により表示され、または、スピーカ部（図示せず）により音声出力されることで、ユーザは、ビデオ装置１００でどのように設定されているかを確認することができる。
【００６１】
以上のとおり、携帯電話２００においてレイアウト情報を受信し、ユーザにより確認することができ、使い勝手のよいビデオ装置１００および携帯電話２００を実現することができる。
【００６２】
次に、本実施形態のビデオ装置１００および携帯電話２００の作用効果について説明する。本実施形態のビデオ装置１００は、携帯電話２００から出力される操作情報および携帯電話２００を特定するリモコン番号に基づいて動作すべき機能情報を記憶部２０５から抽出し、当該機能情報に基づいた動作を実行することができる。これにより、個人ごとに保有され、個人ごとに操作ボタンに対応した機能が自由に設定された携帯電話２００から、操作を示す操作情報および携帯電話２００を特定するリモコン番号をビデオ装置１００が受信することで、各携帯電話２００に対応した動作をビデオ装置１００は実行することができる。すなわち、例えば、家族において個人個人が自分専用の携帯電話２００をもっており、その携帯電話２００ごとに、各操作ボタン（テンキーなど）に再生、停止などの機能が設定可能とされている場合がある。この場合、携帯電話２００を特定するリモコン番号ごとに、操作情報と実行される機能を示す機能情報とを、ビデオ装置１００において対応付けて記憶しておき、携帯電話２００からの操作情報に基づいて、記憶されている情報から動作すべき機能情報を抽出して実行することで、個人ごとに機能設定を変えた携帯電話２００に対応したビデオ装置１００を実現することができる。
【００６３】
また、ビデオ装置１００は、携帯電話２００から、携帯電話２００を特定するリモコン番号、および携帯電話２００の操作を示す操作情報とビデオ装置１００の動作を示す機能情報とを対応付けたレイアウト情報を受信して、当該リモコン番号ごとに、操作情報および機能情報を記憶させることができる。これにより、携帯電話２００のそれぞれにおいて設定された操作情報と機能情報とを対応付けたレイアウト情報をビデオ装置１００側に記憶させることができ、ビデオ装置１００は様々な携帯電話２００に対応させることができる。
【００６４】
また、ビデオ装置１００は、携帯電話２００からレイアウト情報の要求を受けた場合、携帯電話２００にレイアウト情報を送信することができ、携帯電話２００側でレイアウト情報を確認させることができる。
【００６５】
また、携帯電話２００は、操作ボタンを示す操作情報とビデオ装置１００において実行される機能を示す機能情報とを、携帯電話２００を特定するリモコン番号と対応付けてビデオ装置１００に登録し、当該携帯電話２００がビデオ装置１００に対して遠隔操作を行う際に、リモコン番号および操作情報を出力することで、ビデオ装置１００では、リモコン番号および操作情報に基づいて機能情報を読み出して当該機能情報に基づいた機能を実行することができ、携帯電話２００を用いたビデオ装置１００の遠隔操作を実現することができる。
【図面の簡単な説明】
【００６６】
【図１】ビデオ装置１００のブロック構成図である。
【図２】リモコン番号、操作情報および機能情報の対応付けを示す概念図である。
【図３】携帯電話２００のブロック構成図である。
【図４】ビデオ装置１００に携帯電話２００の各種情報を設定するときの動作を示すフローチャートである。
【図５】ビデオ装置１００において、携帯電話２００から遠隔操作が行われるときの動作を示すフローチャートである。
【図６】ビデオ装置１００において、携帯電話２００からレイアウト情報の読み出し処理がなされたときの動作を示すフローチャートである。
【符号の説明】
【００６７】
１００…ビデオ装置、１０１…通信インターフェース部、１０２…受信部、１０３…信号処理部、１０４…記憶部、１０５…送信部、１０６…実行部、１０７…デッキ部、１０８…表示部、２００…携帯電話、２０１…通信インターフェース部、２０２…制御部、２０３…表示部、２０４…操作パネル、２０５…記憶部、２０６…無線通信部。
【図１】
2006261987.tif 000003
【図２】
2006261987.tif 000004
【図３】
2006261987.tif 000005
【図４】
2006261987.tif 000006
【図５】
2006261987.tif 000007
【図６】
2006261987.tif 000008